(57)【要約】【解決手段】本発明は、現状では複数のステップごとに複数の機器によって穿孔が行われているところ、リング、らせん、コーム及び複数のサイズのリングを備えるフォルダを受け入れる長円形の穿孔によって、綴じ機及びらせん綴じ機のための汎用的な穿孔を行うことが可能な新規なシステムを提供する新規な工業製品に関するものである。楕円穿孔孔あけ具が取り付けられる。【選択図】      図１
2015501730.tif 000002
【特許請求の範囲】
【請求項１】
標準的な綴じシステムにおいて綴じ処理を行うらせん綴じ機に導入される汎用穿孔システムであって、
楕円形（長円形）の穿孔を行う孔あけ具の基底を備える工程と、現状の綴じシステムによって現状使用されている間隔と寸法を損なわない穿孔ステップを採用した長円形の穿孔を実行する工程とを備えることを特徴とする汎用穿孔システム。
【請求項２】
標準的な綴じシステムにおいて綴じ処理を行うらせん綴じ機に導入される汎用穿孔システムであって、
孔あけ具を保持する第１プラットフォームと、孔あけ具の誘導部材として機能し第１プラットフォームと同じ寸法である第２プラットフォームと、第１及び第２プラットフォームよりも大きく凹部として機能する第３の支持プラットフォームとの、３つの細長い長方形のプラットフォームからなる楕円マトリクスと、
楕円（長方形）の形状の孔あけ具の列とを備えることを特徴とする汎用穿孔システム。
【請求項３】
標準的な綴じシステムにおいて綴じ処理を行うらせん綴じ機に導入される請求項１記載の汎用穿孔システムであって、
コームと、誘導部材と、カウンタとを備え、
これらコームと誘導部材とカウンタとは、各楕円穿孔に対し最適に整列配置されており、孔のそれぞれの間に形成される隙間は等距離とされており、ダブル金属ロックリング、いずれのステップのプラスチック又は金属のらせん綴じ具、紙葉及び必要であればプラスチックのコームを、多種のサイズや方式のフォルダやレジスタの孔に挿入するとき、挿入を容易とし、綴じ処理を最適なものとすることを特徴とする汎用穿孔システム。
【請求項４】
請求項１に記載の汎用穿孔システムであって、
ひとつの好ましい形態として見出されており、
第１及び第２プラットフォームは、長さ約３８．５ｃｍ、幅約５ｃｍ、厚さ約３ｍｍであり、
第３プラットフォームは、長さ約４８ｃｍ、幅５ｃｍ、厚さ約３．５ｍｍであり、
孔あけ具は、高さ約３．２ｃｍ、幅約４．７５ｍｍ、長さ２２．５ｍｍであり、
コーム及び誘導部材は、基礎部材（冷延の）又は他の鋼鉄により製造されており、カウンタは、硬化鋼又は他の種類のもので製造されており、
カウンタ（底部）の孔は、地虫ネジのための皿穴であることを特徴とする汎用穿孔システム。
【発明の詳細な説明】
【技術分野】
【０００１】
本発明は、概して、周知のものに対して新規の綴じ機又は周知のらせん綴じシステムに関する。より詳しくは、本発明は、様々な綴じシステムに利用される様々な穿孔方法による種々の綴じ方を可能とする汎用綴じシステムに関する。
【背景技術】
【０００２】
綴じ機は、５０年以上にわたり大幅に変化することなく、円形、正方形、長方形及び楕円形といった同様の穿孔形式を使ってきた。このことにより、市場は、それぞれの形状に必要とされる綴じ機を確保することを余儀なくされている。なぜなら、メキシコ及び全世界の消費者は、彼ら自身又は彼らの顧客のニーズに見合った様々な種類の装置を必要とするためである。
【０００３】
周知の綴じシステムの中で、以下のらせん綴じ具を挙げることができる。すなわち、ダブル金属リング（ステップが、３：１と２：１）、金属らせん綴じ（ステップが、３：１、４：１、５：１、０．２４７５インチ、６ｍｍ）及びプラスチックらせん綴じ（ステップが、３：１、４：１、５：１、０．２４７５インチ、６ｍｍ）、そして、６及び１１の先端部を持つプラスチックのコームや、異なる形式のフォルダやレジスタのための２、３、４又はそれ以上の孔を開ける孔あけ機も市場に出回っている。長年にわたり、この種の製品の消費者はかなり増加し、消費者は、より少ない労力によってより多くの成果を求めるようになっており、現存の装置が市場の要求により集約されることを期待している。これら上述した綴じシステムはすべて、本発明の技術的な提案により、一つの汎用的な機器に統一される。
【０００４】
これらシステムは、１９６６年１１月１９日付けのメキシコ出願９６００４６７及び９６００４６６として本願明細書に参照として組み込まれるが、これらは最新式のらせん綴じ機に関する分析、特に、ダブル金属リングの穿孔閉じ機に関する分析である。
【０００５】
２００１年８月１６日に登録されたＭＵ９１８には、ダブル金属リングを備えるらせん綴じのための孔あけ機と閉じ機とにより成るらせん綴じ機がクレームされている。このらせん綴じ機は、以下のものを備えている。すなわち、２本の板を有し、その２本の板のうち１本は一連の孔あけ具を受け入れて等間隔の穿孔を行い、もう一本の板は他方の板を覆っている孔あけ機と、一つの閉じ板により成る閉じ機と、両機を作動させるための作動レバーと、マリンバと、支持プラットフォームの前部に配置されたリングホルダとを備えている（２４頁）。ＭＵ９７８登録には、板の後部領域に向かって上部を横断する打点器を有するプラットフォームを備える穿孔板が開示されている。この穿孔板には、等間隔な一列の孔が線形に配置された逆溝形状を有する凹形状の板が堅固に固定され、この凹形状の板の上には、基底となる板も固定して配置されている（８頁、９行−１４行）。ＭＵ１０１７登録には、孔があけられたシートを素早く効率的に縫い進めて適切に測定されたダブル金属リングに通してリングを閉じ、プラスチックのらせん綴じ機、金属又はプラスチックのコームを利用することができる紙シートのためのらせん綴じ機が開示されている。ＭＵ１３９８は、熱石膏のための電気ヒータを含む他の装置のように孔あけ機を取り外すことなく、二つの異なる直径の穿孔方式からひとつを選択できる装置を開示している。さらなる詳細に関しては、本発明者により開発された先行技術文献に当たることが推奨される。最後に、特許２７５４４１では、２つの異なる穿孔深さを得るためのらせん綴じ機が開示されている。
【０００６】
従来のすべての技術は、本発明の新規な機器によって克服することができ、本発明の新規な機器は、様々な綴じ方を行うために使われる種々の機器に取って変わる。
【発明の概要】
【０００７】
基本的に提供されるのは、様々な穿孔方式による綴じシステムにおいて、この種の機器群が実行する機能を単独で実行する新規な工業製品としてのらせん綴じ機である。
【０００８】
これは、明らかに、多数の機器に対するかなりの出費の節約を意味するとともに、これら機器のためのスペースを節約することも意味するが、これは主に、家庭、個人事務所、官庁、コピーセンタ、文房具屋及び印刷所にとって、非常に重要である。
【０００９】
技術的には、この提案は、現状の綴じシステムによって現在使用されている間隔や寸法を損なわない長円形の穿孔（端部が円形であり、幅より長い）のすべての穿孔ステップに関連した原理に基づいている。
【図面の簡単な説明】
【００１０】
【図１】斜視図である。
【図２】上平面図である。
【発明を実施するための形態】
【００１１】
ここで、発明の詳細な説明を、一つの非限定的な実施例だけで構成することにする。なぜなら、ここで示される図面と明細書を参照することで、他の発明について検討することなく、異なる実施例を想起できるからであり、また、なぜなら、この開示は、その広義な意味において考慮されなければならず、かつ、限定されるべきではなく、例えば、異なる機器や、似た機能を持つ素材、異なる寸法、ひいては穿孔の変更はすべて、すでに考慮されているものであるからである。
【００１２】
本発明は、添付の図に関連して記載されている。図１は、楕円の孔あけ具と、孔あけ具支持部材と、孔あけ具誘導部材とを有する楕円マトリックスを備える楕円穿孔型を左側から見た斜視上面図である。
【００１３】
図２は、順番に、コーム、誘導部材及びカウンタの平面図である。
【００１４】
これら図面、特に図１を参照すると、本発明の要部である楕円マトリックスは、３つの細長い長方形のプラットフォーム（図１）を含んでおり、これらプラットフォームは、孔あけ具支持部材である第１プラットフォーム（１）と、第１プラットフォームと等しい大きさであり孔パンチ具誘導部材として用いられる第２プラットフォーム（２）と、第１及び第２プラットフォームよりも大きな寸法を有する第３プラットフォーム（３）である。また、楕円マトリックスには、楕円形状の孔あけ具の列（４）が設けられている。
【００１５】
図２を参照すると、各穿孔のために最適に整列配置されているコーム（５）と誘導部材（６）とカウンタ（７）との平面図を示している。
【００１６】
上述した孔のそれぞれの間に形成される隙間は等距離となっており、２、３、４又はそれ以上のリングを必要とするフォルダに、ダブル金属リングや、いずれのステップのプラスチック又は金属のらせん綴じ具や、プラスチックのコームを挿入するとき、または、紙を挿入するときに、挿入を容易とし、綴じの結果を最適なものとする。
【００１７】
例えば、以下は、らせん綴じ器の主要部（だけではない）の好ましい実施形態であり、この穿孔機は、穿孔のための既知の機器に実際に取り付けられることができることが重要視されなければならず、このことは、前記の装置と穿孔の形状を有する穿孔システムを参照すべきである。
【００１８】
プラットフォーム（１）は長さ約３８．５ｃｍ、幅約４ｃｍ及び厚さ約３ｍｍであり、プラットフォーム（２）はプラットフォーム（１）と同じ寸法であり、プラットフォーム３は長さ約４８ｃｍ、幅約５ｃｍ及び厚さ約３．５ｃｍであり、孔あけ具は、高さ約３．２ｃｍ、幅約４．７５ｍｍ、長さ２２．５ｍｍである。  コームと誘導部材は、基礎部材（冷延の）又は他の鋼鉄により製造されており、カウンタは、硬化鋼又は他の種類のもので製造されている。カウンタ（底部）の孔は、地虫ネジのための皿穴である。
【００１９】
楕円（長円形）の孔あけ具による楕円（長方形）穿孔を利用するこのシステムは、発明の新規性があり、必ずしも、新規又は従来機器の集合体ではない。そのうえ、もし長円形の穿孔を実現する楕円（長円形）孔パンチ具を組み込んだら、既知の（又は未知の）電気的な穿孔綴じ器で使用することができる。
【００２０】
上記の方法、すなわち、長円形の穿孔の適用のみによって、現在、メキシコ及び世界の他の国々において生産されている製品をいずれも変更する必要はなく、また、消費者の出資は一種の機器の購入のみで済む。
【００２１】
明らかに、実際の消費者の節約は金銭的にもスペース的にもかなりのものであり、かつ、新しい装置が市場に出回る度に消費者は購入しなくてはならず、また、消費者にすべての異なる種類の危機と消耗品の所有を強制しており、生産コストや消費コストをより高くしている。
【００２２】
この提案の前提は、長円形の穿孔によって統一することであり、このようにすることで、各穿孔ステップが各々の綴じ機で必要とする多種の穿孔に取って代わる。
【００２３】
容易に理解されるように、円形、正方形、長方形及び楕円の穿孔方式の問題を、一つの装置によって克服している。言い換えれば、必要とされる各種の綴じ機を所持することが強いられない。現在まで、メキシコ及び全世界の消費者は、彼ら自身のニーズ又は彼らのエンドユーザのニーズに見合う多種の装置を要求している。
【００２４】
本発明によれば、穿孔綴じシステムは、本発明以前は世界中の製造業者の長年にわたる憶測にすぎなかった装置であり、大きな制約であった各システムの高い製造コストを削減する。例えば、メキシコにおいて、らせん綴じのための楕円形の穿孔は、円形のものに比べて非常に高価であるために行われていない。また、同時に、異なるステップによる金属又はプラスチックのらせん綴じの標準的な使用方法を統一する。
【００２５】
本発明を記述した上で、本発明は新規性があると考え、そして、以下の節における私の財産としてクレームする。
【図１】
2015501730.tif 000003
【図２】
2015501730.tif 000004
【国際調査報告】
2015501730.tif 000005
2015501730.tif 000006
2015501730.tif 000007
2015501730.tif 000008
2015501730.tif 000009
2015501730.tif 000010